(57)【要約】【課題】カートリッジの部品点数を減らし、カートリッジのコストを削減すると同時に省資源化を実現する。【解決手段】本体ケースの内部に、記録テープを巻装する一個のテープリールが配置されており、テープリールの下面にリールギアが設けてあり、テープリールの下面と対向する前記本体ケースの下壁に、テープドライブの駆動軸の出入りを許す駆動穴が開口されており、駆動軸には駆動ギアが設けてあり、使用時にはリールギアと駆動ギアとが嵌合してリールを回転させて、テープドライブにて記録テープへ記録再生されるテープカートリッジにおいて、テープリールの中央に設けたボスの内底面と、本体ケースの上壁との間に、テープリールを押し下げ付勢するばねが配置されており、前記駆動穴の縁に回転ロックギアが設けてあり、不使用時にはリールギアと回転ロックギアとが嵌合してリールの回転をロックするテープカートリッジを提供する。【選択図】図１
2009301608.tif 000002
【特許請求の範囲】
【請求項１】
本体ケースの内部に、記録テープを巻装する一個のテープリールが配置されており、
テープリールの下面にリールギアが設けてあり、
テープリールの下面と対向する前記本体ケースの下壁に、テープドライブの駆動軸の出入りを許す駆動穴が開口されており、
駆動軸には駆動ギアが設けてあり、
使用時にはリールギアと駆動ギアとが嵌合してリールを回転させて、テープドライブにて記録テープへ記録再生されるテープカートリッジにおいて、
テープリールの中央に設けたボスの内底面と、本体ケースの上壁との間に、テープリールを押し下げ付勢するばねが配置されており、
ボスの下部に下フランジが張り出し成形されており、
前記駆動穴の縁に回転ロックギアが設けてあり、
不使用時にはリールギアと回転ロックギアとが嵌合してリールの回転をロックするテープカートリッジ。
【請求項２】
回転ロックギアの上面周縁と、リールギアの下面周縁は、ほぼ同一の角度にＣ面加工されている請求項１に記載のテープカートリッジ。
【請求項３】
ボスと中心を同じくする小ボスがボス内部に配置されており、
小ボスは上部に上フランジが張り出し成形されており、
小ボス内部にリールを押し下げ付勢するばねが配置されている請求項１、または２に記載のテープカートリッジ。
【発明の詳細な説明】
【技術分野】
【０００１】
本発明は、テープリールやハブなどのテープ巻回体を回転不能にロック保持するロック構造を備えた単リール型のテープカートリッジに関する。
【背景技術】
【０００２】
単リール構造のテープカートリッジにおいては、不使用状態のテープリールが遊動回転して記録テープが弛むのを防ぐために、本体ケースの内部にリールロック構造を組み込んでいる。この種のリールロック構造として、テープリールのフランジ周面に設けた歯山をロック対象とするフランジロック型（特許文献１参照）と、テープリールのボス内面に設けた歯山をロック対象とするボスロック型（特許文献２参照）とがよく知られている。前者では、歯山と、歯山に係脱する一対のロックレバーと、各ロックレバーをロック付勢するばねなどでリールロック構造を構成している。後者では、ボス部の内底に設けられる歯山と、本体ケースで上下スライドのみ可能に案内支持されて、先の歯山に対して係脱するロック体と、ロック体をロック付勢するばねと、ロック体をロック解錠操作するためのロック解除具などでリールロック構造を構成している。
【０００３】
【特許文献１】特開２００１−２５６７５６号公報（段落番号００２６、図２）
【特許文献２】特開２００３−１８７５４８号公報（段落番号００４２、図１）
【発明の開示】
【発明が解決しようとする課題】
【０００４】
上記のような従来のリールロック構造においては、ロックレバーやロック体、あるいはロック解除具などを設ける必要があるので、リールロック構造の構成部品点数が多く、その分だけテープカートリッジの全体コストが嵩むのを避けられない。
【０００５】
さらに、近年の地球環境の問題を考えると製造業においては省エネルギー、省資源化、廃棄物の削減を推し進めなければならない。
【０００６】
特許文献２で開示されているテープカートリッジでは、駆動軸とリールとを嵌合させる為に、駆動軸側に永久磁石が、リール側には金属プレートが配置されており、リールボスの底壁からはロック解除具の脚片を突出させている。これは駆動軸の駆動歯とリールの駆動歯が嵌合すると同時に、駆動軸がロック解除具の脚片を押し上げてロック解除が成されるように、磁力を利用してリールと駆動軸を吸着させて、駆動軸とリールとの嵌合とロック解除の確実性を高めるためである。つまり、リールボス底壁には金属プレートが必要であり、脚片を突出させるための開口部を設ける必要がある。
【０００７】
このようなリールの場合、インサート成形によって金属プレートを配置しているが、製造コストの増大に繋がる上、リサイクル時に材料別の回収が困難となる。また、リールを射出成形で成形する場合、リールの中心部分にゲートを配置するのが通常であるが、開口部を設けたリールの場合、開口部があることでリールの円筒部（ボス部）とフランジ部分にウェルドラインが発生し、リールの成形精度を下げてしまう問題がある。それだけでなく、ボスの底壁上面にロック歯を構成すると、部分的に厚みが大きくなり、その部分の成形樹脂は他の部分に比べて熱放出に時間がかかるため、後変形が起こり、これもまたリールの成形精度の低下に繋がる。
【０００８】
図４を用いて、ウェルドラインの発生について説明する。図４は特許文献２に開示されているような、従来の開口部を設けたリールの要部断面図である。斜線部はボスＢを表し、ボスＢの下部よりフランジＦが張り出し形成されている。ゲート位置ＧがハブＢフランジＦの中央にある時、開口部Ｈの位置に対して、太線Ｗに沿ってウェルドラインが発生する。この時ウェルドラインはフランジＦにのみ発生するのではなく、開口部Ｈより外側の形状全てに発生する。一般に成形品に穴がある場合は無い場合よりも成形精度が悪化しがちである。
【０００９】
近年の高記録密度化の進んだ記録テープにおいて、ボスの円筒面やフランジにウェルドラインや後変形による凹凸があると、テープに凹凸が転写したりテープエッジが折れたりして、テープへ信号の読み書き時にエラーを起こしかねない。
【００１０】
本発明の目的は、リールの成形精度を低下させることなくテープリールを回転不能にロック保持するロック構造を簡素化し、さらにリールにインサート成形されている金属プレートを廃止して、その分だけテープカートリッジの全体コストを削減することにある。また金属部材及び部品点数を減らすことで、資源消費や廃棄物の削減、リサイクルの容易化を実現することにある。
【課題を解決するための手段】
【００１１】
本発明は、本体ケースの内部に、記録テープを巻装する一個のテープリールが配置されており、テープリールの下面にリールギアが設けてあり、テープリールの下面と対向する前記本体ケースの下壁に、テープドライブの駆動軸の出入りを許す駆動穴が開口されており、駆動軸には駆動ギアが設けてあり、使用時にはリールギアと駆動ギアとが嵌合してリールを回転させて、テープドライブにて記録テープへ記録再生されるテープカートリッジにおいて、テープリールの中央に設けたボスの内底面と、本体ケースの上壁との間に、テープリールを押し下げ付勢するばねが配置されており、前記駆動穴の縁に回転ロックギアが設けてあり、不使用時にはリールギアと回転ロックギアとが嵌合してリールの回転をロックするテープカートリッジを提供する。
【００１２】
回転ロックギアの上面周縁と、リールギアの下面周縁は、ほぼ同一の角度にＣ面加工されている請求項１に記載のテープカートリッジを提供する。
【００１３】
ボスと中心を同じくする小ボスがボス内部に配置されており、小ボスは上部に上フランジが張り出し成形されており、小ボス内部にリールを押し下げ付勢するばねが配置されているテープカートリッジを提供する。
【発明の効果】
【００１４】
本発明においては、テープリールをばねで押し下げ付勢し、不使用状態においてリールギアと回転ロックギアが係合することでテープリールを回転不能にロック保持できるようにした。回転ロックギアは、本体ケースに設けた駆動穴の開口縁に沿って形成されている。つまり、他のロック部品を使用することもなく、テープリールを本体ケースに設けた駆動穴の縁で、直接的に回転不能にロック保持するので、従来のロック構造に比べて、構造を簡素化してその分だけテープカートリッジの全体コストを削減でき、同時に資源消費を抑えることができる。
【００１５】
ロック解除具の脚片がリールボスの底壁の開口部から突出させる従来の構造に比べると、前述のロック構造の簡素化に加えて、ボスの底壁に開口部とロック歯を設ける必要が無いのでボスの周壁面、フランジ面等精度良く成形することが出来る。また、ロック解除具を押し上げる必要も無いので、磁力を利用して駆動軸とリールを吸着させる必要がなく、結果的に金属プレートが必要なくなる。
【００１６】
また、リールギアは不使用時には回転ロックギアと嵌合して回転ロックし、使用時には駆動ギアと嵌合して回転駆動に利用される２つの役割を持っているので、リールに形成するギアは１つでよく、金型の加工の手間を低減することが出来る。
【００１７】
回転ロックギア１０３の上面周縁と、リールギア２３の下面周縁は、ほぼ同一の角度にＣ面加工されている（本願請求項２）と、リールの回転方向へのロックと同時に、テープリールがばねから受ける付勢力を下ケースの縁で受けとめ、下フランジ２１が下ケース１ｂと接触するのを防ぐことが出来るので、下フランジの傷付きを防止し、同時にテープエッジのエッジダメージを防ぐことが出来る。
【００１８】
ボスと中心を同じくする小ボスがボス内部に配置されており、小ボスは上部に上フランジが張り出し成形されている（本願請求項３）と、穴の無い成形品で上フランジを構成することができるので、精度良く成形される。また、小ボス内に空間を作りばねを配置することが出来る。
【発明を実施するための最良の形態】
【００１９】
図１ないし図２は本発明に係るテープカートリッジの実施例を示す。図１は図２のＡ−Ａ断面図である。図１および図２においてテープカートリッジは、角箱状の本体ケース１の内部に、テープ３を巻き取る１個のテープリール２が収容してある。テープ３の繰り出し端にはリーダーピン５が固定してあり、リーダーピン５は本体ケース１の前面一側に開口したテープ引出口４に臨んで待機保持してある。符号６はテープ引出口４を開閉するシャッターであり、このシャッター８はばね７で閉じ勝手に移動付勢してある。本体ケース１は上ケース１ａと、下ケース１ｂとを蓋合わせ状に接合して構成する。
【００２０】
図１および図３に示すようにテープリール２は、ボス２０が一体に形成してある上下フランジ２１と、ボス２０の上面に固定される上フランジ２２とで構成してあり、ボスの底壁外面に、リールギア２３が形成してある。上ケース１ａには円柱状の突起１０１が膨出しており、この突起１０１を囲むようにねじりコイルばね８がセットされる。ねじりコイルばね８は上端は上ケース１ａに、下端はボス内部にセットしたばね受け具９に受け止められ、ばね受け具９を介してボス２０の底面を押し下げ付勢する。つまり、ねじりコイルばね８は常時リール２を押し下げ付勢している。
【００２１】
ドライブの駆動軸（図示せず）をリールギア２３に接合連結して駆動するために、リールギア２３と対向する本体ケース１の下壁に円形の駆動穴１０２を開口し、リールギア２３は駆動穴１０２を介してケース外面に露出させている。駆動軸の上面には、リールギア２３と噛み合う駆動ギアが設けてある。そして、駆動穴１０２の縁には不使用時にリールを回転不能にロック保持するのに利用する回転ロックギア１０３が形成してある。
【００２２】
本発明のテープカートリッジの不使用状態について説明する。不使用状態におけるテープリール２は、図１の如く、ねじりコイルばね８の下向きの付勢力を受けて、下ケース１ｂに押し付けられる。このとき、駆動穴１０２の縁に設けた回転ロックギア１０３とリールギア２３の最外周部と嵌合することでリールを回転不能にロックされる。図１のように回転ロックギア１０３の上面周縁と、リールギア２３の下面周縁は、ほぼ同一の角度にＣ面加工されており、リールの回転方向へのロックと同時に、テープリール２がねじりコイルばね８から受ける付勢力を下ケースの縁で受けとめ、下フランジ２１が下ケース１ｂと接触するのを防ぐことが出来る。
【００２３】
次に、使用時について説明する。テープカートリッジ使用時には、ドライブの駆動軸によってテープリール２がばね２３の付勢力に抗して押し上げられ、駆動軸は駆動穴１０２を介してカートリッジのケース内に進入する。その時のリールギアと回転ロックギアの係合は解除され、同時にリールギアと駆動ギアとが係合状態となる。リールギアと回転ロックギアの係合が解除されるので、テープリール２を回転ロック解除状態に切り換えることができ、リールギアと駆動ギアとが係合状態になるので、リールは駆動軸Ｄの回転駆動力を受け継いで、リールは回転駆動してドライブによってテープの記録再生が成される。
【００２４】
上記のロック解除状態において、テープリール２を抵抗なく回転駆動するために、ばね受具９をボス２０の内部にセットしている。ばね受具９は、丸皿状の座壁９１と、座壁９１の下面に突設される軸９２と座壁９１から上方へ張り出した周壁９３を一体に備えたプラスチック成形品からなる。座壁９１でねじりコイルばね８の下端を受け止めて、リールのボス底面と接する軸９２がリールへ下向きの付勢力を伝える。周壁９３はリールボス２０内でばね受け具９が傾いて、リールギア２３と駆動ギアの係合ミス等を防ぐ役割を果たしている。テープカートリッジ使用時に軸９２でリールを支えて、ばね受け具９そのものは回転しない。
【００２５】
本発明は上記の実施例に限ったものではなく、例えば上フランジとばね受け具の周壁とが一体になりねじりコイルばねがばね受け具の上端を受け止める構成（図３）をとる事も出来る。この構成によると、上フランジを穴を形成しない成形品で構成できるので、成形不良がなく、精度の良く成形することが出来る。
【図面の簡単な説明】
【００２６】
【図１】本発明のテープカートリッジの要部縦断面図である（図２のＡ−Ａ断面図）。
【図２】本発明のテープカートリッジの斜視図である。
【図３】本発明の別実施例である。
【図４】従来のリール要部横断面図である。
【符号の説明】
【００２７】
１    本体ケース
２    リール
３    テープ
８    ねじりコイルばね
９    ばね受け具
２０    ボス
２１    下フランジ
２３    リールギア
１０２    駆動穴
１０３    回転ロックギア
【図１】
2009301608.tif 000003
【図２】
2009301608.tif 000004
【図３】
2009301608.tif 000005
【図４】
2009301608.tif 000006